(57)【特許請求の範囲】
【請求項１】
容器部は、上部直径が下部直径より大きい上部開口型容器で、底面が光沢の
ある白色であり、容器縦半分が艶のない白色で残りの容器縦半分が透明であることを特徴とするひしゃく。
【発明の詳細な説明】
【技術分野】
【０００１】
本発明は、観賞魚を採取する際に用いられるひしゃくに関し、特に、２ｍｍ程度で半透明の仔魚を採取するのに適したひしゃくに関する。
【背景技術】
【０００２】
観賞魚を採取する際には、魚のサイズに合わせたネット網やひしゃくがあり、その両方の利点を合わせ持つ底に防水布を使用した水ごとすくえるネット網がある（特許文献１、非特許文献１）。
【０００３】
しかし、底に防水布を使用した水ごとすくえるネット網でも、ＳＳサイズが最小の規格で、全長約１０ｍｍに育った魚を対象にしており、２ｍｍ程度の魚は対象としていない。２ｍｍ程度で半透明の仔魚１０をネクスト水槽に移動させることは難しく、このような仔魚１０をネクスト水槽に移動させる専用の採取用具は販売されていない。そのため、仔魚１０の移動時に仔魚１０の生存率が低くても、ネット網、ひしゃく、水ごとネット網を使用している。
【０００４】
仔魚（しぎょ）１０は、孵化（ふか）直後からすべてのひれが完成するまでの魚の幼生であり、孵化直後は体が透明で弱々しく、各ひれも薄い膜状物であり、卵黄だけで発育する。まもなく口や肛門(こうもん)が開き、消化器官が機能しだすとプランクトンを食べだす。（日本大百科全書 落合 明・尻岡邦夫  引用）
【０００５】
この仔魚１０の時期に、水流、水質が適切でない場合や親魚などに捕食される危険があるとき、早急に仔魚１０を採取し、適切な環境に仔魚１０を移動する必要がある。この時に仔魚１０に適した採取道具がないため、仔魚１０をネクスト水槽に移動させることでダメージを受け、死ぬ仔魚１０が多い。
【先行技術文献】
【特許文献】
【０００６】
【特許文献１】実公昭５０−００４６３７号公報
【非特許文献】
【０００７】
【非特許文献１】「Ｈｉｋａｒｉ総合カタログ２０１９．０３」，株式会社キョーリン，ｐ．３９
【発明の概要】
【発明が解決しようとする課題】
【０００８】
特許文献1は、熱帯魚や金魚をすくってネクスト水槽に移すことと、病変の鑑別、魚の選別を行うものであり、サイズの大きいたも網である。
【０００９】
また、非特許文献１は、全長約１０ｍｍに育ったサイズの稚魚や親魚を対象としており、１０ｍｍ以下の魚は対象としていない。
【００１０】
よって、２ｍｍ程度の仔魚１０にとっては、特許文献1、非特許文献1のネット網では、使用する水の容量が多い。そのため、特許文献1、特許文献２を使用した場合、仔魚１０が多量の流れ込む水に巻かれ、回転してしまい、魚体を網にぶつけてしまう。
【００１１】
また、特許文献1と非特許文献1はメッシュが使用されているので、メッシュやメッシュの縫い目に仔魚１０が張り付いて取れなくなってしまう。
【００１２】
かつ、仔魚１０は半透明であるため、仔魚１０より下の色と同化して仔魚１０自体を見失ってしまう。特に、非特許文献１は光の吸収率の高い黒色で構成されているため、半透明な仔魚１０が黒色と同化し、仔魚１０を見失う。
【００１３】
以上の理由から、仔魚１０には、水量による打撲、メッシュによる体の張り付き、半透明でよく見えず行方不明になるなど、仔魚１０は死亡するリスクが高い。仔魚１０を生存させたまま、ネクスト水槽に移動するのは難しいという問題がある。
【００１４】
本発明は、２ｍｍ程度で半透明な仔魚１０の輪郭を浮き立たせ、確実に視認でき、仔魚１０を安全にネクスト水槽に移動できるひしゃくを提供することにある。
【課題を解決するための手段】
【００１５】
容器部は、上部直径２が下部直径３より大きい上部開口型容器1で、容器底面４が光沢のある白色であり、容器縦半分５が艶のない白色であり、残りの容器縦半分６が透明であることを特徴とする上部開口型容器1を形成する。そこに円状枠針金８と棒針金９で形成される金属ひしゃく柄７を前記容器部と連結する。  
【発明の効果】
【００１６】
本発明は、容器部は、上部直径２が下部直径３より大きい上部開口型容器１（以下、容器１）にしたことで、円柱よりも容器傾斜角度が緩やかになる。すると、仔魚１０をすくう際に容器1への水の流入量が少なく、水の流入速度が遅くなる。よって仔魚１０が多量の水に巻かれダメージを受けることがない。
【００１７】
このようにネット網ではなく、容器1を使用することにより、今までネット網を使用することで起こっていた仔魚１０の擦れ傷、打撲、行方不明になることがなくなり、安全に採取、ネクスト水槽への移動が可能である。
【００１８】
容器底面４を光沢のある白色にしたことで、容器１に水が入ると底面からの光の反射が強くなり、光の全反射となった光が容器内を強く照らす。容器１内が強く照らし出されることで容器１内の仔魚１０の輪郭ができるので、容器１内の仔魚１０の位置が確認できる。
【００１９】
容器縦半分５を艶のない白色にしたことで、他の色の影響、他の反射を受けず輪郭のできた仔魚１０が視認しやすい。したがって容器１を横にして、仔魚１０を採取したときには、輪郭のできた仔魚１０が容器１内で確認でき、容器内の仔魚１０を目で追いながら、ネクスト水槽に移すことができる。
【００２０】
残りの容器縦半分６を透明にしたことで、縦横斜めの角度で仔魚１０の動きが見て取れ、採取、ネクスト水槽への移動まで仔魚１０の動きが確認できる。
【００２１】
したがって、本発明は、上記特徴とする容器１を使用することにより、今までネット網を使用することで起っていた仔魚１０の擦れ傷、打撲、行方不明になることがなくなる。容器底面４を光沢のある白色にすることで半透明の仔魚１０を明るく照らし、仔魚１０の輪郭を浮き立たせることができる。容器１を横にして、艶のない白色５を下側にして使用することで、他の色の影響、他の光の反射を防ぎ、見て取れるため、仔魚１０のキャッチアンドリリース時の動きがはっきりと分かる。
【００２２】
以上のようにすることで、この発明では、半透明で２ｍｍ程度の仔魚１０に対し、上記の容器１を使用した場合、スペース、入水角度、水の深さ、濁り、暗さ、周辺の色などの影響は受け難く、さまざまな環境下で仔魚１０をすくい、安全に
ネクスト水槽に移すことが可能である。
【図面の簡単な説明】
【００２３】
【図１】本実施例の斜視図である。
【図２】本実施例の合と柄だけを示した平面図である。
【図３】本実施例の図２の合に取付ける容器部の側面図である
【図４】本実施例の容器部の平面図である。
【図５】本実施例の容器部を縦にした斜視図である。
【図６】本実施例の容器部を横にした斜視図である。
【図７】本実施例の仔魚が水面にいるときの採取時説明図である。
【図８】本実施例の仔魚が水の深いところにいるときの採取時説明図である。
【図９】本実施例の仔魚の採取後説明平面図である。
【図１０】本実施例の仔魚リリース時説明図である。
【図１１】本実施例の容器部が凸レンズ状になっており、仔魚が大きく見えることを示す説明側面図である。
【図１２】本実施例の容器部を斜め下から見て仔魚が水面下での全反射によって見えやすいことを示す説明図である。
【図１３】本実施例の容器部が柄に対してスライド回転することを示す説明斜視図である。
【図１４】半透明で２ｍｍ程度の仔魚の写真である。
【図１５】本実施例の容器縦半分透明部分が全反射で鏡状になり、仔魚が写し出されている（図９）の写真である。
【図１６】本実施例の仔魚を水の深いところで採取したときの（図８の）写真である（図８の実施例とは柄の形状は異なる）。
【発明を実施するための形態】
【００２４】
容器部は、上部直径２が下部直径３より大きい上部開口型容器１である。円柱よりも容器傾斜角度が緩やかである。仔魚１０採取時に、仔魚１０が水面Ｓにいるときは、容器1を横にして、容器透明部分６は上、容器艶のない白色部分５は下で採取の動作を行う。仔魚１０に対し、容器１を横にして容器開口部を近づけていき、容器１に水面の水を少しずつ入れながら、仔魚１０を水と一緒に容器１に流し込む。すると、仔魚１０が水と一緒にゆっくりと容器１に入り込むことができ、流水の回転を極力抑えることができる。
【００２５】
また、容器１を円柱にしなかった理由としては、円柱にすると容器底面から、上面までの角度が９０度のため、水が滝のように一気に容器に流れこむ。その際に仔魚１０は水に巻かれ、ダメージを受ける。また円柱の容器にすると、仔魚１０を採取する際に、手首を動かす角度が大きくなる。手首を動かす角度（範囲）が大きいほど、容器を動かすふり幅も大きくなり、手首の返し角度も大きくなるため、容器に水を緩やかに入れることができなくなる。
【００２６】
また、容器側を三角や四角にしなかったのは、仮に三角や四角の容器側面である場合、流れ込む水と一緒に仔魚１０が容器側面にあたり、仔魚１０はダイレクトにダメージを受けるからである。側面が円である場合、仮に仔魚１０が側面にぶつかることがあっても、衝撃は横に逃げていき、仔魚１０へのダメージは少なくなる。
【００２７】
容器底面４は白色である。容器底面が透明の場合、底面への光が透過して、透過した光が底面下の色や形を映し出してしまう。底面に映し出された色や形は仔魚１０と同化し、仔魚１０を見失ってしまう。そのため底面には透過を遮る色を
塗る。底面に使う色は、黒・茶・緑・赤（光の吸収が強い順）などは使用しない。黒・茶・緑・赤（光の吸収が強い順）を使用してしまうと光の吸収度合いが強くなり、半透明の仔魚１０は底面に使用された色に同化して見えなくなってしまう。そのため、底面には光の吸収が少ない白色を使用する。
【００２８】
また、容器底面４は白色に光沢を加えてある。それは、底面４の白色の光を反射させるためである。容器１底面４の光沢のある白色部分は、滑らかな表面で、ほとんどの光が反射する。底面の白色から反射された強い光は、容器１内側に全反射を起こし、光が逃げて行けなくなる光ケーブル状になる。そうなることで、光は容器1内から逃げて行けず、図９のように透明部分６があっても容器1内側は白い鏡状になる。その結果、白い鏡状態となったところに仔魚１０がいると光の反射で像（仔魚１１）ができる。光の反射が容器1内にいる半透明の仔魚１０の輪郭を出すため、容器１内の仔魚１０は、容器１内のどこにいても確認できる。
【００２９】
しかも、容器１水面Ｓ下側でも全反射が起きている。図１２のように容器１を斜め下から覗いた状態でも、水面Ｓ下側は、全反射の影響で白く見える。そのため、外の景色が映らず、仔魚１０を視認しやすい。また、水面Ｓ下側は全反射の影響で白い鏡状になっているので、水面Ｓ付近に仔魚１０がいると、水面Ｓ下側に光の反射で像（仔魚１３）ができ、容器内の仔魚１０が確認しやすい。
【００３０】
容器縦半分５は艶のない白色である。艶のない白色は反射する光は少ないため、他の色の影響、他の反射を受けず、艶のない白色の上にあるものは視認しやすい。光の反射により輪郭のできた仔魚１０は、容器５艶のない白色の上で見えやすい。したがって、仔魚１０をすくう際には容器１を横にして容器５艶のない白色が下にくるようにして使用する。
【００３１】
仔魚１０をすくってから、ネクスト水槽に仔魚１０を移す際、容器1内の水だけがネクスト水槽に移り、仔魚１０が容器１に取り残されることがあるが、仔魚１０は容器５艶のない白色の上にいるので、輪郭のできた仔魚１０がスライドしている状態が良く見える。よって仔魚１０を容器１内に取り残すことはなくなる。
【００３２】
残りの容器縦半分６は透明である。縦横斜めの角度で仔魚１０の動きが見て取れ、採取、ネクスト水槽への移動まで仔魚１０の動きが確認できる。キャッチアンドリリースの視角野である。
【実施例】
【００３３】
本実施例は、２ｍｍ程度の仔魚１０の大きさに鑑みて、容器1の容量は約５０
ｍｌ、上部直径２は約５ｃｍ、下部直径３は約３ｃｍ、容器下部直径３から容器上部直径４の傾斜は約１００度、容器１の高さは約４ｃｍとしている。
【００３４】
なお、これらの寸法や材質は適宜設計し得るものである。
【００３５】
また、ひしゃく柄の長さは、容器1に対してバランスの良い２０ｃｍ程度が好ましい。
【００３６】
また、図１１のように、容器縦半分６透明部分は円弧状のため、凸レンズの働きもしており、容器1を縦に置き、横から見ると、２ｍｍ程度の仔魚１０が、仔魚１２のように大きく見える効果もある。
【００３７】
図１３のように、ひしゃく柄７は、合８と柄９の接続部分に板状の先曲げフックＡが取り付けられており、取り付けた容器1がこの柄９に対してスライド回転する。使用時の状況によって、容器縦半分５艶のない白部分５と残りの縦半分透明６部分の角度調整をして仔魚１０を採取できる。
【００３８】
ひしゃくの柄Ａ部分は、図示していないが、下におろすかぎ爪状でも良く、容器をホールド出来ればよい。
【００３９】
ひしゃくの柄９は針金で編み込んであっても良く、素材は限定しない。
【００４０】
仔魚１０の採取方法は、大きく分けて二つある。一つは、図７の仔魚１０が水面Ｓにいるとき、もう一つは仔魚１０が、水の深いところＦにいるときである。
【００４１】
図７のように、仔魚１０が水面Ｓにいるときは、容器１を水面Ｓに近づけ、仔魚１０を水と一緒にゆっくりと容器１に流し込む。
【００４２】
図８の仔魚１０が、水の深いところＦにいるときは、容器1を水に潜らせ、容
器1をゆっくりと進める。すると、艶のない白色５の上に仔魚１０の陰影ができる。それを確認したら、容器１をゆっくりと動かし、仔魚１０が容器1の中央、または、容器下部直径３付近に仔魚１０が来たらゆっくりとすくいあげる。
【００４３】
あとは、仔魚１０の位置や動きを見て、上記、図７、図８の二つの採取方法を織り交ぜながら仔魚１０をすくっていく。いずれの場合も、艶のない白色５の上に仔魚１０をのせることで半透明な仔魚１０の陰影を出し、目視しながらの採取ができる。
【００４４】
他の用途として、アオ浮草の除去がある。アオ浮草を採取の際、メッシュ網を
使用するとアオ浮草がメッシュにこびりついて取れなくなるが、本実施例の容器1を使用することで、アオ浮草の付着がなく、簡単にアオ浮草を取ることができる。
【００４５】
また、水面Ｓの油膜取りがある。水面の油膜は、水質が悪化するので取り除く必要がある。キッチンペーパーで油膜を吸着させる方法もあるが、容器1を使用することで、水面Ｓの油膜がゆっくりと容器1に入り、油膜の除去が簡単にできる。
【００４６】
他、魚類薬剤のかくはん等に利用できる。
【符号の説明】
【００４７】
１.上部開口型容器
２.上部直径
３.下部直径
４.底面（光沢のある白色）
５.容器縦半分（艶のない白色）
６.残りの容器縦半分（透明）
【図１】
0006888072.tif 000002
【図２】
0006888072.tif 000003
【図３】
0006888072.tif 000004
【図４】
0006888072.tif 000005
【図５】
0006888072.tif 000006
【図６】
0006888072.tif 000007
【図７】
0006888072.tif 000008
【図８】
0006888072.tif 000009
【図９】
0006888072.tif 000010
【図１０】
0006888072.tif 000011
【図１１】
0006888072.tif 000012
【図１２】
0006888072.tif 000013
【図１３】
0006888072.tif 000014
【図１４】
0006888072.tif 000015
【図１５】
0006888072.tif 000016
【図１６】
0006888072.tif 000017